(57)【要約】      （修正有）【課題】フレキシブル回路基板とそれを備えたタッチパネルを提供する。【解決手段】透明基板１００の他面に形成される第２電極１２０と、透明基板１００の他面に第２電極１２０に連結されるように形成される第２配線１４０と、本体部２１０、本体部２１０の端部から前方に延長形成され、前方が開放された切開部を挟んで左右方向に並んで配置されるように形成される多数のパッド部２２１、２２２、及び多数のパッド部２２１、２２２のうち何れか一つの端部から前方に延長形成される延長部２３０を含むフレキシブル回路基板２０１と、を含み、多数のパッド部２２１、２２２のうち一部は透明基板１００の一面に連結されながら第１配線１３０と電気的に連結され、残りは透明基板１００の他面に連結されながら第２配線１４０と電気的に連結されるものである。【選択図】図１
2014044716.tif 000002
【特許請求の範囲】
【請求項１】
本体部と、
前記本体部の端部から前方に延長形成され、前方が開放された切開部を挟んで左右方向に並んで配置されるように形成される多数のパッド部と、
前記多数のパッド部のうち何れか一つの端部から前方に延長形成される延長部と、を含むフレキシブル回路基板。
【請求項２】
前記多数のパッド部は、左右方向に並んで配置される二つのパッド部からなる請求項１に記載のフレキシブル回路基板。
【請求項３】
前記二つのパッド部のうち何れか一つはタッチパネルに含まれる透明基板の一面に、他の一つは前記透明基板の他面に連結される請求項２に記載のフレキシブル回路基板。
【請求項４】
前記多数のパッド部は、左右方向に並んで配置される三つのパッド部からなる請求項１に記載のフレキシブル回路基板。
【請求項５】
前記三つのパッド部のうち何れか一つはタッチパネルに含まれる透明基板の一面に、他の二つは前記透明基板の他面に連結される請求項４に記載のフレキシブル回路基板。
【請求項６】
前記透明基板の一面に連結されるパッド部は、前記三つのパッド部のうち中央に位置するパッド部である請求項５に記載のフレキシブル回路基板。
【請求項７】
前記切開部は、長さ方向が前後方向に形成される請求項１に記載のフレキシブル回路基板。
【請求項８】
前記パッド部に接着層が形成される請求項１に記載のフレキシブル回路基板。
【請求項９】
前記接着層は、ＡＣＦ（Ａｎｉｓｏｔｒｏｐｉｃ  Ｃｏｎｄｕｃｔｉｖｅ  Ｆｉｌｍ）である請求項８に記載のフレキシブル回路基板。
【請求項１０】
透明基板と、
前記透明基板の一面に形成される第１電極と、
前記透明基板の一面に前記第１電極に連結されるように形成される第１配線と、
前記透明基板の他面に形成される第２電極と、
前記透明基板の他面に前記第２電極に連結されるように形成される第２配線と、
本体部、前記本体部の端部から前方に延長形成され、前方が開放された切開部を挟んで左右方向に並んで配置されるように形成される多数のパッド部、及び前記多数のパッド部のうち何れか一つの端部から前方に延長形成される延長部を含むフレキシブル回路基板と、を含み、
前記多数のパッド部のうち一部は前記透明基板の一面に連結されながら前記第１配線と電気的に連結され、残りは前記透明基板の他面に連結されながら前記第２配線と電気的に連結されるタッチパネル。
【請求項１１】
前記多数のパッド部は、左右方向に並んで配置される二つのパッド部からなる請求項１０に記載のタッチパネル。
【請求項１２】
前記多数のパッド部は、左右方向に並んで配置される三つのパッド部からなる請求項１０に記載のタッチパネル。
【請求項１３】
前記透明基板の一面に連結されるパッド部は、前記三つのパッド部のうち中央に位置するパッド部である請求項１２に記載のタッチパネル。
【請求項１４】
前記切開部は、長さ方向が前後方向に形成される請求項１０に記載のタッチパネル。
【請求項１５】
前記パッド部に接着層が形成され、前記パッド部が前記透明基板の接続部に接着されて連結される請求項１０に記載のタッチパネル。
【請求項１６】
前記接着層は、ＡＣＦ（Ａｎｉｓｏｔｒｏｐｉｃ  Ｃｏｎｄｕｃｔｉｖｅ  Ｆｉｌｍ）である請求項１５に記載のタッチパネル。
【発明の詳細な説明】
【技術分野】
【０００１】
本発明は、フレキシブル回路基板とそれを備えたタッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、タッチパネル（Ｔｏｕｃｈ  Ｐａｎｅｌ）が開発された。
【０００５】
タッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在、もっとも幅広い分野で用いられている方式は、抵抗膜方式タッチパネル及び静電容量方式タッチパネルである。
【０００７】
従来技術によるタッチパネルの構造についてより具体的に説明すると、タッチパネルは、透明基板と、タッチを認識するために透明基板に形成される電極と、電極で発生した信号を外部に伝達するために電極と電気的に連結されるように透明基板に形成される配線と、配線の端部に電気的に接続され、配線を介して伝達された信号を制御部に伝達するように透明基板に連結されるフレキシブル回路基板（Ｆｌｅｘｉｂｌｅ  Ｐｒｉｎｔｅｄ  Ｃｉｒｃｕｉｔ  Ｂｏａｒｄ；ＦＰＣＢ）と、を含むことが一般的である。
【０００８】
フレキシブル回路基板は、透明基板に接着させるなどの方式により連結されるが、フレキシブル回路基板と透明基板との具体的な連結構造を開示している従来のタッチパネル構造の一例として、特許文献１に記載の「タッチパネルセンサ」が挙げられる。
【０００９】
従来のタッチパネル構造のフレキシブル回路基板は、前記特許文献１に開示されたように、透明基板に連結されるフレキシブル回路基板の端部が、フレキシブル回路基板の本体から分岐された多数のパッド部で構成させることができる。
【００１０】
このように構成させる理由は、透明基板に形成される電極が透明基板の一面にのみ形成させるのではなく、透明基板の両面、または透明基板の一面と透明基板に積層された別の基板の他面の両方に形成させることができ、この場合、フレキシブル回路基板は、透明基板の両面、または透明基板と別の基板が積層された全体基板の両面にそれぞれ連結させなければならないためである。
【００１１】
前記特許文献１には、フレキシブル回路基板の端部が二つに分岐されて左右方向に並んで配置される二つのパッド部が形成されたフレキシブル回路基板が開示されている。フレキシブル回路基板は、その他にも、透明基板の両面のうち何れか一面には一箇所で、他面には二箇所で連結されるように左右方向に並んで配置される三つのパッド部が形成される構造を有することもできる。
【００１２】
一方、従来のタッチパネル構造は、このような構造のフレキシブル回路基板を含むことにより、透明基板とフレキシブル回路基板との連結工程を行うにあたり、様々な問題点を有する。
【００１３】
具体的には、従来のタッチパネルの製造方法は、フレキシブル回路基板を透明基板に連結するために、フレキシブル回路基板の二つ以上のパッド部を互いにずれた方向（上下方向）に拡開させる工程が要される。
【００１４】
しかし、このような工程を自動化するためには、フレキシブル回路基板のパッド部を互いにずれた方向に回動させる別の装置を備えなければならないため、製造コストが増加するという問題がある。
【００１５】
そして、別の装置を用いずに上記の工程を行うためには、手作業によるしかないが、この場合、生産のリードタイムが長くなるだけでなく、製造の便宜性が低下するという短所がある。
【先行技術文献】
【特許文献】
【００１６】
【特許文献１】韓国公開特許第１０−２０１１−００５４３６９号公報
【発明の概要】
【発明が解決しようとする課題】
【００１７】
本発明は、上述した従来技術の問題点を解決するためのものであって、本発明の一側面は、パッド部の構造を改善することにより、透明基板との連結工程を自動化工程によって容易に行うことができるフレキシブル回路基板とそれを備えたタッチパネルを提供することを目的とする。
【課題を解決するための手段】
【００１８】
本発明の実施例によるフレキシブル回路基板は、本体部と、前記本体部の端部から前方に延長形成され、前方が開放された切開部を挟んで左右方向に並んで配置されるように形成される多数のパッド部と、前記多数のパッド部のうち何れか一つの端部から前方に延長形成される延長部と、を含む。
【００１９】
本発明の実施例によるフレキシブル回路基板において、前記多数のパッド部は、左右方向に並んで配置される二つのパッド部からなることができる。
【００２０】
本発明の実施例によるフレキシブル回路基板において、前記二つのパッド部のうち何れか一つはタッチパネルに含まれる透明基板の一面に、他の一つは前記透明基板の他面に連結されることができる。
【００２１】
本発明の実施例によるフレキシブル回路基板において、前記多数のパッド部は、左右方向に並んで配置される三つのパッド部からなることができる。
【００２２】
本発明の実施例によるフレキシブル回路基板において、前記三つのパッド部のうち何れか一つはタッチパネルに含まれる透明基板の一面に、他の二つは前記透明基板の他面に連結されることができる。
【００２３】
本発明の実施例によるフレキシブル回路基板において、前記透明基板の一面に連結されるパッド部は、前記三つのパッド部のうち中央に位置するパッド部であることができる。
【００２４】
本発明の実施例によるフレキシブル回路基板において、前記切開部は、長さ方向が前後方向に形成されることができる。
【００２５】
本発明の実施例によるフレキシブル回路基板において、前記パッド部に接着層が形成されることができる。
【００２６】
本発明の実施例によるフレキシブル回路基板において、前記接着層は、ＡＣＦ（Ａｎｉｓｏｔｒｏｐｉｃ  Ｃｏｎｄｕｃｔｉｖｅ  Ｆｉｌｍ）であることができる。
【００２７】
本発明の実施例によるタッチパネルは、透明基板と、前記透明基板の一面に形成される第１電極と、前記透明基板の一面に前記第１電極に連結されるように形成される第１配線と、前記透明基板の他面に形成される第２電極と、前記透明基板の他面に前記第２電極に連結されるように形成される第２配線と、本体部、前記本体部の端部から前方に延長形成され、前方が開放された切開部を挟んで左右方向に並んで配置されるように形成される多数のパッド部、及び前記多数のパッド部のうち何れか一つの端部から前方に延長形成される延長部を含むフレキシブル回路基板と、を含み、前記多数のパッド部のうち一部は前記透明基板の一面に連結されながら前記第１配線と電気的に連結され、残りは前記透明基板の他面に連結されながら前記第２配線と電気的に連結される。
【００２８】
本発明の実施例によるタッチパネルにおいて、前記多数のパッド部は、左右方向に並んで配置される二つのパッド部からなることができる。
【００２９】
本発明の実施例によるタッチパネルにおいて、前記多数のパッド部は、左右方向に並んで配置される三つのパッド部からなることができる。
【００３０】
本発明の実施例によるタッチパネルにおいて、前記透明基板の一面に連結されるパッド部は、前記三つのパッド部のうち中央に位置するパッド部であることができる。
【００３１】
本発明の実施例によるタッチパネルにおいて、前記切開部は、長さ方向が前後方向に形成されることができる。
【００３２】
本発明の実施例によるタッチパネルにおいて、前記パッド部に接着層が形成され、前記パッド部が前記透明基板の接続部に接着されて連結されることができる。
【００３３】
本発明の実施例によるタッチパネルにおいて、前記接着層は、ＡＣＦ（Ａｎｉｓｏｔｒｏｐｉｃ  Ｃｏｎｄｕｃｔｉｖｅ  Ｆｉｌｍ）であることができる。
【発明の効果】
【００３４】
本発明によると、フレキシブル回路基板のパッド部に延長部が形成されることにより、延長部を押し上げる簡単な工程で、パッド部の間に透明基板が挿入される空間を確保することができる。
【００３５】
従って、透明基板とフレキシブル回路基板との連結工程は、パッド部を拡開させるための別の装備を備えなくても、透明基板を移動させる装備だけで自動化工程によって行うことができる。
【００３６】
さらに、作業者は、突出された延長部を容易に把持して回動させることができるため、上記の工程が手作業でなされる場合にも非常に容易に行うことができる。
【図面の簡単な説明】
【００３７】
【図１】本発明の第１実施例によるタッチパネルを示した斜視図である。
【図２】図１に図示されたフレキシブル回路基板を示した平面図である。
【図３】図１に図示されたフレキシブル回路基板と透明基板との連結過程を説明するための断面図である。
【図４】図１に図示されたフレキシブル回路基板と透明基板との連結過程を説明するための断面図である。
【図５】本発明の第２実施例によるタッチパネルを示した斜視図である。
【図６】図５に図示されたフレキシブル回路基板を示した平面図である。
【発明を実施するための形態】
【００３８】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３９】
以下、添付図面を参照して、本発明の好ましい実施例を詳細に説明する。
【００４０】
図１は、本発明の第１実施例によるタッチパネルを示した斜視図であり、図２は、図１に図示されたフレキシブル回路基板を示した平面図である。また、図３及び図４は、図１に図示されたフレキシブル回路基板と透明基板との連結過程を説明するための断面図である。
【００４１】
図１及び図２に図示されたように、本発明の第１実施例によるタッチパネルは、透明基板１００と、前記透明基板１００の一面に形成される第１電極１１０と、前記透明基板１００の一面に前記第１電極１１０に連結されるように形成される第１配線１３０と、前記透明基板１００の他面に形成される第２電極１２０と、前記透明基板１００の他面に前記第２電極１２０に連結されるように形成される第２配線１４０と、前記透明基板１００に連結され、前記第１配線１３０及び前記第２配線１４０と電気的に連結されるフレキシブル回路基板２０１と、を含む。
【００４２】
透明基板１００は、後述する電極及び配線が形成される領域を提供する役割を遂行する。透明基板１００は、電極及び配線を支持することができる支持力と、画像表示装置から提供される画像をユーザが認識できるようにする透明性を備えなければならない。
【００４３】
上述の支持力及び透明性を考慮して、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００４４】
電極は、ユーザがタッチする際に信号を発生させて、コントローラ（不図示）でタッチ座標を認識できるようにする役割を遂行する。電極で発生する信号は、後述する配線及びフレキシブル回路基板（Ｆｌｅｘｉｂｌｅ  Ｐｒｉｎｔｅｄ  Ｃｉｒｃｕｉｔ  Ｂｏａｒｄ；ＦＰＣＢ）２０１を介してコントローラ（不図示）に伝達される。
【００４５】
電極は、電気伝導性を有する材質からなる。例えば、電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択された何れか一つまたはこれらの組み合わせからなった金属で形成されるか、またはポリ−３，４−エチレンジオキシチオフェン／ポリスチレンスルホネート（ＰＥＤＯＴ／ＰＳＳ）、ポリアニリン、ポリアセチレンまたはポリフェニレンビニレンなどの伝導性高分子で形成されることができる。または、インジウム−スズ酸化物（Ｉｎｄｉｕｍ−Ｔｉｎ  Ｏｘｉｄｅ）などの金属酸化物で形成されてもよい。
【００４６】
また、電極は、透明基板１００の一面に形成される第１電極１１０と、透明基板１００の他面に形成される第２電極１２０と、を含んでなることができる。この際、第１電極１１０と第２電極１２０は、そのうち何れか一つが駆動電極として、他の一つが検知電極として用いられることができる。
【００４７】
配線は、第１電極１１０に電気的に連結された第１配線１３０と、第２電極１２０に電気的に連結された第２配線１４０と、を含んでなることができる。第１配線１３０は第１電極１１０に連結されながら透明基板１００の一面に形成され、第２配線１４０は第２電極１２０に連結されながら透明基板１００の他面に形成される。
【００４８】
第１配線１３０は、その末端部が透明基板１００の一面の端部側に位置することができる。図１に図示されたように、第１配線１３０の末端部は、例えば、透明基板１００の一面の後端部に位置することができ、このような第１配線１３０の末端部は、後述するフレキシブル回路基板２０１と接続される接続部１３１となる。
【００４９】
第２配線１４０も同様に、その末端部が透明基板１００の他面の後端部側に位置することができ、第２配線１４０の末端部は、フレキシブル回路基板２０１、２０２と接続される接続部１４１となる。
【００５０】
図１には、透明基板１００の一面に一つの接続部１３１が、他面に二つの接続部１４１が形成される例が提示されている。
【００５１】
フレキシブル回路基板２０１は、透明基板１００に連結されながら上述の接続部１３１、１４１に接続されて、第１配線１３０及び第２配線１４０と電気的に連結される。
【００５２】
フレキシブル回路基板２０１は、具体的な一例として、図１及び図２に図示されたように、本体部２１０と、パッド部２２１、２２２と、延長部２３０と、を含むことができる。
【００５３】
本体部２１０はフレキシブル回路基板２０１の本体となる部分であり、パッド部２２１、２２２は本体部２１０の端部に形成される。パッド部２２１、２２２は、上述の接続部１３１、１４１に電気的に接続される部分であり、上述したように透明基板１００の一面に一つの接続部１３１が、他面に二つの接続部１４１が形成される場合、この接続部１３１、１４１に対応してフレキシブル回路基板２０１のパッド部も三つのパッド部２２１、２２２からなる。
【００５４】
この際、パッド部２２１、２２２は、例えば、長さ方向が前後方向に形成される切開部２２３を挟んで、左右方向に並んで配置されることができる。本実施例では、パッド部が三つのパッド部２２１、２２２で構成されるため、三つのパッド部２２１、２２２の間に二つの切開部２２３が形成され、各切開部２２３の前方が開放されている。三つのパッド部２２１、２２２は、その間に切開部２２３が形成されることにより、隣接するパッド部の干渉を受けることなく自由に上下に回動することができる。
【００５５】
このように形成された多数のパッド部のうち一部が上向きに回動され、残りが下向きに回動されると、パッド部の間に透明基板１００が挿入される空間が形成される。この空間に透明基板１００を挿入した後、上向きに回動されたパッド部の下面が透明基板１００の一面に形成された接続部１３１に、下向きに回動されたパッド部の上面が透明基板１００の他面に形成された接続部１４１に接続されるように連結することで、フレキシブル回路基板２０１を第１配線１３０及び第２配線１４０と電気的に連結させることができる。
【００５６】
この際、もしフレキシブル回路基板２０１の多数のパッド部が全て同一の長さに形成される場合、多数のパッド部を互いにずれた方向（上下方向）に回動して拡開させる工程が容易ではない。このような工程は、パッド部それぞれを回動させるための別の装置を備えたり、作業者によって手作業で行わなければならない。上記の工程のために別の装置を備える場合、タッチパネルの製造コストが増加するという問題がある。また、上記の工程を手作業で行う場合には、作業者がパッド部それぞれを掴んで拡開させなければならないため、作業の便宜性が大きく低下するという問題がある。
【００５７】
本実施例によるフレキシブル回路基板２０１は、このような問題点を解決するために、パッド部から延長形成される延長部２３０を含む。
【００５８】
延長部２３０は、多数のパッド部２２１、２２２のうち何れか一つの前端から前方に延長されて形成される。延長部２３０が形成されることにより、延長部２３０が形成されたパッド部２２１は、そうでないパッド部２２２に比べより長く形成される。図１及び図２は、一例として、三つのパッド部２２１、２２２のうち中央に配置されるパッド部２２１に延長部２３０が形成された例を提示している。但し、このような例に限定されず、左右両側に配置された残りのパッド部２２２の全てに、またはそのうち何れか一つに延長部２３０が形成されることもできるということは勿論である。
【００５９】
延長部２３０が形成されることにより、透明基板１００とフレキシブル回路基板２０１とを互いに連結する過程が非常に容易になる。このような過程を図３及び図４を参照して説明すると次のとおりである。
【００６０】
上述したように、三つのパッド部２２１、２２２のうちの中央のパッド部（以下「第１パッド部」）２２１に延長部２３０が形成された例で、この第１パッド部２２１を透明基板１００の一面の接続部１３１に、残りのパッド部（以下「第２パッド部」）２２２を透明基板１００の他面の接続部１４１に連結しようとする場合、まず、図３に図示されたように、透明基板１００の後端部（図３を基準として透明基板１００の左側端部）が延長部２３０の底面に接するように配置した状態で、透明基板１００の後端部を上向きに移動させると、延長部２３０及び第１パッド部２２１が上向きに回動される。この際、第１パッド部２２１と第２パッド部２２２との間には空間が形成され、図４に図示されたように、この空間に透明基板１００の後端部を挿入することができる。
【００６１】
透明基板１００を第１パッド部２２１と第２パッド部２２２との間の空間に挿入した後、第１パッド部２２１の下面が透明基板１００の一面の接続部１３１に、第２パッド部２２２の上面が透明基板１００の他面の接続部１４１に接続されるようにすることができる。
【００６２】
この際、第１パッド部２２１と第２パッド部２２２が接続部１３１、１４１に接続された状態で固定されるように、第１パッド部２２１の下面と第２パッド部２２２の上面に接着層２２１ａ、２２２ａが形成され、第１パッド部２２１と第２パッド部２２２が接続部１３１、１４１に接着されて連結されることができる。接着層２２１ａ、２２２ａは、例えば、ＡＣＦ（Ａｎｉｓｏｔｒｏｐｉｃ  Ｃｏｎｄｕｃｔｉｖｅ  Ｆｉｌｍ）からなることができる。
【００６３】
本実施例によるタッチパネルは、フレキシブル回路基板２０１と透明基板１００との連結過程が、上述したように透明基板１００で延長部２３０を押し上げる単純な過程でなされるため、手作業で行う場合にも非常に容易に行うことができる。
【００６４】
さらに、上記の過程は、図３及び図４に図示されたように、透明基板１００を移動させる既存のホルダー部３００を用いて行うこともできるため、敢えて手作業によらなくても、また別の装置を用いなくても自動化工程によって行うことができる。
【００６５】
以下、本発明の第２実施例によるタッチパネルを添付図面を参照して説明する。
【００６６】
図５は、本発明の第２実施例によるタッチパネルを示した斜視図であり、図６は、図５に図示されたフレキシブル回路基板を示した平面図である。
【００６７】
本実施例によるタッチパネルは、第１実施例によるタッチパネル構造と比較してフレキシブル回路基板の構造が異なる。従って、以下では、本実施例に含まれるフレキシブル回路基板２０２を中心に詳細に説明する。
【００６８】
本実施例に含まれるフレキシブル回路基板２０２のパッド部は、第１実施例で提示されたパッド部と異なって、二つのパッド部２２４、２２５で構成される。
【００６９】
第１実施例では、透明基板１００の一面に一つの接続部１３１が形成され、透明基板１００の他面に二つの接続部１４１が形成されることにより、フレキシブル回路基板２０１に三つのパッド部２２１、２２２が形成される例を提示しているが、このような例に限定されない。
【００７０】
図５に図示されたように、透明基板１００の一面に一つの接続部１３１を、透明基板１００の他面にも一つの接続部１４１を形成させることができ、この場合、フレキシブル回路基板２０２には、二つのパッド部２２４、２２５を形成させることができる。
【００７１】
二つのパッド部２２４、２２５は、切開部２２３を挟んで左右方向に並んで配置され、そのうち何れか一つが透明基板１００の一面の接続部１３１に、他の一つが透明基板１００の他面の接続部１３１に接続される。
【００７２】
この際、二つのパッド部２２４、２２５のうち何れか一つに延長部２３０を形成させることができ、図面では、左側パッド部２２４に延長部２３０が形成された例を提示している。
【００７３】
本実施例も第１実施例と同様に、パッド部２２４に延長部２３０が形成されることにより、透明基板１００の後端部で延長部２３０を押し上げる過程によってパッド部２２４、２２５の間に空間を形成させることができ、この空間に透明基板１００の後端部を挿入して、パッド部２２４、２２５を接続部１３１、１４１に接続させることができる。
【００７４】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７５】
本発明の単純な変形乃至変更はいずれも本発明の領域に属するものであり、本発明の具体的な保護範囲は添付の特許請求の範囲により明確になるであろう。
【産業上の利用可能性】
【００７６】
本発明は、フレキシブル回路基板とそれを備えたタッチパネルに適用可能である。
【符号の説明】
【００７７】
１００  透明基板
１１０  第１電極
１２０  第２電極
１３０  第１配線
１３１  接続部
１４０  第２配線
１４１  接続部
２０１、２０２  フレキシブル回路基板
２１０  本体部
２２１  第１パッド部（パッド部）
２２２  第２パッド部（パッド部）
２２１ａ、２２２ａ  接着層
２２３  切開部
２２４  左側パッド部（パッド部）
２２５  右側パッド部（パッド部）
２３０  延長部
３００  ホルダー部
【図１】
2014044716.tif 000003
【図２】
2014044716.tif 000004
【図３】
2014044716.tif 000005
【図４】
2014044716.tif 000006
【図５】
2014044716.tif 000007
【図６】
2014044716.tif 000008